(57)【要約】【課題】吸湿性及び速乾性に優れ、皮膚にべとつかず、しかも衣服の製造コストを低くすることができる透湿防水織布を提供すること。【解決手段】基布層１と、透湿防水ゲルより成り、防水性及び透湿性を有するように基布層の内側面に形成される透湿防水層２と、結合ゲル３０と親水性及び吸水性を有する吸水粉末３１とを混合してなり、かつ透湿防水層２の内側面に設けられている吸水層３とを含む。【選択図】図１
0003176675.tif 000002
【実用新案登録請求の範囲】
【請求項１】
基布層と、
透湿防水ゲルより成り、防水性及び透湿性を有するように前記基布層の内側面に形成される透湿防水層と、
結合ゲルと親水性及び吸水性を有する吸水粉末とを混合してなり、かつ前記透湿防水層の内側面に設けられている吸水層と、
を含むことを特徴とする、透湿防水織布。
【請求項２】
前記吸水層は、前記結合ゲル中に１％〜３０％の前記吸水粉末が混入されて成り、かつ前記吸水粉末の粒径が１〜１０００μｍであることを特徴とする、請求項１に記載の透湿防水織布。
【請求項３】
前記吸水粉末が天然繊維であることを特徴とする、請求項１に記載の透湿防水織布。
【請求項４】
前記吸水粉末が無機材料であることを特徴とする、請求項１に記載の透湿防水織布。
【請求項５】
前記吸水粉末は天然繊維と無機材料とを混合して成ることを特徴とする、請求項１に記載の透湿防水織布。
【請求項６】
前記吸水層は、彩色又は図柄を施すように前記透湿防水層の内側面全面に塗布されていることを特徴とする、請求項１に記載の透湿防水織布。
【請求項７】
前記吸水層は、彩色又は図柄を施すように前記透湿防水層の内側面全面に印刷されていることを特徴とする、請求項１に記載の透湿防水織布。
【考案の詳細な説明】
【技術分野】
【０００１】
本考案は、軽量で、皮膚にべとつかず、水と接した場合に起こる著しい膨潤によるしわの発生が抑制される透湿防水織布に関する。
【背景技術】
【０００２】
従来の透湿防水織布は、図２に示すように、基布層（４）と、透湿防水層（５）とを含み、透湿防水層（５）は、防水ゲルを基布層（４）の内側面に塗布又は貼合してなるものである。
しかしながら、透湿防水層（５）はナノ多孔性を有し、透湿防水層（５）により雨水が外側面から侵入するのを防ぐことともに、発汗による水蒸気を内側面から外部へ排出させることができるが、吸湿速乾性を有していなかった。
【０００３】
そのため、衣服用として応用される場合には、雨水が侵入せず、発汗による水蒸気も外部へ排出できるものの、汗の量が多くなって大分子の汗滴になって集まると、透湿防水織布を透過して外部へ排出できない。したがって、このような透湿防水織布は爽快な使用感及び着用快適性などの特性を有していなかった。
また、防水ゲルを基布層（４）の内側面に全面塗布しているため、透湿防水層（５）は、立体感を付与できないという欠点がある。さらに、防水ゲルにより、透湿防水層（５）が皮膚にべとついたり、互いにねばり付いてしまう状況を引き起こしやすい。したがって、一般的に、衣服を製造するための衣料として使用される時、透湿防水層（５）の内側面に一層の裏地（インナー）を追設する必要が生じることから、コストが大幅に増加するという問題もある。
【考案の概要】
【考案が解決しようとする課題】
【０００４】
本考案が解決しようとする課題は、吸湿性及び速乾性に優れ、皮膚にべとつかず、しかも衣服の製造コストを低くすることができる透湿防水織布を提供することにある。
【課題を解決するための手段】
【０００５】
本考案の透湿防水織布は、基布層と、透湿防水ゲルより成り、防水性及び透湿性を有するように前記基布層の内側面に形成される透湿防水層と、結合ゲルと親水性及び吸水性を有する吸水粉末とを混合してなり、かつ前記透湿防水層の内側面に設けられている吸水層とを含む。
【０００６】
以下の構成を採用しても良い。
前記吸水層は、前記結合ゲル中に１％〜３０％の前記吸水粉末が混入されて成り、かつ前記吸水粉末の粒径が１〜１０００μｍである構成。
前記吸水粉末が天然繊維である構成。
前記吸水粉末が無機材料である構成。
前記吸水粉末は天然繊維と無機材料とを混合して成る構成。
前記吸水層は、彩色又は図柄を施すように前記透湿防水層の内側面全面に塗布されている構成。
前記吸水層は、彩色又は図柄を施すように前記透湿防水層の内側面全面に印刷されている構成。
【考案の効果】
【０００７】
本考案の透湿防水織布によれば、衣服を製作した場合には、透湿防水層を利用して雨水が衣服内に侵入するのを防ぐと共に、発汗による水蒸気を衣服外へ排出することができ、しかも吸水層に含有される吸水粉末を利用して大量の汗を吸収し、汗を吸水層へ吸引した後、より小さい水分子に変化して透湿防水層を介して外部へ排出させることにより、多量の汗をかいてもべとつき、まとわりつきを感じることはないため、着用時により一層快適な着心地を得ることができる。
また、吸水層は皮膚にべとつかず、かつ立体感があるので、裏地を取り付ける必要が無く、コストを節減することができる。
【図面の簡単な説明】
【０００８】
【図１】本考案の実施例を示す透湿防水織布の断面図である。
【図２】従来の透湿防水織布の断面図である。
【考案を実施するための形態】
【０００９】
以下、本考案の実施例を図面に基づいて詳細に説明する。
本考案の透湿防水織布は、図１に示すように、基布層（１）と、透湿防水層（２）と、吸水層（３）と、を含む。
基布層（１）は、Ｎｙｌｏｎ（ナイロン）織物、ＰＥＴ（ポリエチレンテレフタレート）織物、ＰＰ（ポリプロピレン）織物、ＰＡＮ（ポリアクリロニトリル）織物、棉織物、Ｔ／Ｃ（ポリエステル繊維と棉の混紡）織物、Ｒａｙｏｎ（粘液状のレーヨン）織物、Ｓｉｌｋ（シルク）織物、麻織物及び羊毛織物のうちのいずれかの１つで形成することができる。
【００１０】
透湿防水層（２）は、透湿防水ゲルを塗布又は貼合する方法で基布層（１）の内側面に形成され、水を透過させず、水蒸気を透過させ得るようにするものである。なお、透湿防水ゲルとしては、湿式及び乾式微多孔ＰＵ（ポリウレタン）樹脂、乾式乳化型ＰＵ（ポリウレタン）樹脂、湿式微多孔Ａｃｒｙｌｉｃ（アクリル繊維）樹脂、乾式乳化型Ａｃｒｙｌｉｃ（アクリル繊維）樹脂、湿式微多孔ＰＥ（ポリエチレン）樹脂、乾式乳化型ＰＥ（ポリエチレン）樹脂、水溶性ＰＵ（ポリウレタン）樹脂、水溶性Ａｃｒｙｌｉｃ（アクリル繊維）樹脂のいずれかの１つが挙げられる。
【００１１】
吸水層（３）は、結合ゲル（３０）中に１％〜３０％の吸水粉末（３１）が混入されて成る。吸水粉末（３１）の粒径は１〜１０００μｍである。
吸水層（３）は、点状に彩色又は図柄を施すように透湿防水層（２）の内側面全面に塗布又は印刷して形成される。各点状模様間の隙間によって水蒸気を円滑に排出させるとともに、各点状模様が充分な大きさの面積を有することにより、より良好な吸水効果を発揮することができる。
【００１２】
なお、結合ゲル（３０）としては、乳化型ＰＵ（ポリウレタン）樹脂、乳化型Ａｃｒｙｌｉｃ（アクリル繊維）樹脂、微多孔ＰＥ（ポリエチレン）樹脂、微多孔水性ＰＵ（ポリウレタン）樹脂、親水性ＰＵ（ポリウレタン）樹脂、親水性Ａｃｒｙｌｉｃ（アクリル繊維）樹脂、親水性ＰＥＴ（ポリエチレンテレフタレート）樹脂のいずれかの１つが挙げられる。
吸水粉末（３１）は、親水性に優れ、高度の吸水特性を有する。吸水粉末（３１）は、天然繊維、無機材料のうちの１種または２種を混合したものであってもよい。
天然繊維は、棉、麻、シルク、羊毛等より成る。
無機材料は、塩化カルシウム、塩化マグネシウム、ＴｉＯ２（二酸化チタン）、Ｓｉｌｉ  ｃａ（二酸化ケイ素）、Ｍｇ（ＯＨ）２（水酸化マグネシウム）、Ｃａ（ＯＨ）２（水酸化カルシウム）、ＣａＣＯ３（炭酸カルシウム）、ＣａＯ（酸化カルシウム）等より成る。
【００１３】
本考案の透湿防水織布の性能試験結果を表１に示す。
【００１４】
【表１】
0003176675.tif 000003
【００１５】
表１から、この透湿防水織布は、次のような優れた性能を有することが明らかである。
一、吸水層（３）に含有される吸水粉末（３１）は、親水性に優れかつ高度の吸水特性を有するため、透湿防水織布の内側面に吸湿速乾のドライ感及び快適性が得られ、レジャー、スポーツ用途の衣料として特に適用される。
二、吸水層（３）は、該結合ゲル（３０）と吸水粉末（３１）とを混合してなる材料を点状に塗布又は印刷する方法で透湿防水層（２）の内側面全面に形成されるので、吸水層（３）は、立体感に富むのみならず、透湿防水織布が三層織物構造であるかのようにみさせることが可能となる。
【００１６】
三、吸水層（３）に含有される吸水粉末（３１）により、透湿防水織布の内側が皮膚にべとつかず、互いにねばり付いてしまうことがないため、既製服の裏地（インナー）のコストを省くことができ、保存の安全性を高めることができる。
四、吸水層（３）に含有される吸水粉末（３１）により、透湿防水織布の透湿性をより一層向上させることができる。
【符号の説明】
【００１７】
１            基布層
２            透湿防水層
３            吸水層
３０            結合ゲル
３１            吸水粉末
４            基布層
５            透湿防水層
【図１】
0003176675.tif 000004
【図２】
0003176675.tif 000005